【手続補正書】
【提出日】平成19年5月1日(2007.5.1)
【手続補正１】
【補正対象書類名】特許請求の範囲
【補正対象項目名】全文
【補正方法】変更
【補正の内容】
【特許請求の範囲】
【請求項１】
スポーツの映像を撮影し音声を検出し、スポーツの映像を撮影した撮像信号と音声を検出した音声信号を含むテレビ放送信号を送信し、送信されたテレビ放送信号を受信し、受信信号から受信映像信号と受信音声信号を抽出し、受信映像信号を表示出力或いは受信音声信号を音声出力する方法において、スポーツの所定プレイの開始或いは開始と終了のタイミングに対応してプレイタイミング信号を発生する工程と、プレイ開始信号と映像信号と音声信号と組み合わせテレビ放送信号を生成する工程と、テレビ放送信号を送信する工程と、テレビ放送信号を受信し受信信号を発生する工程と、受信信号から受信映像信号と受信音声信号とプレイタイミング信号を抽出する工程と、プレイタイミング信号により表示や音声の出力を制御する工程を含むことを特徴とするスポーツの映像を撮影し音声を検出しスポーツの映像を撮影した撮像信号と音声を検出した音声信号を含むテレビ放送信号を送信し送信されたテレビ放送信号を受信し受信信号から受信映像信号と受信音声信号を抽出し受信映像信号を表示出力或いは受信音声信号を音声出力する方法。
【請求項２】
スポーツの映像を撮影し音声を検出し、スポーツの映像を撮影した撮像信号と音声を検出した音声信号を含むテレビ放送信号を送信し、受信装置でテレビ放送信号を受信し、受信信号から受信映像信号と受信音声信号を抽出し、受信映像信号を受信装置表示部へ表示出力或いは受信音声信号を受信装置音声発生部へ音声出力するシステムにおいて、スポーツの所定プレイの開始或いは開始と終了のタイミングに対応してプレイタイミング信号を発生するプレイタイミング信号生成手段と、プレイタイミング信号と映像信号と音声信号と組み合わせテレビ放送信号を生成するテレビ放送信号生成手段と、テレビ放送信号を送信する送信手段と、テレビ放送信号を受信し受信信号を発生する受信手段と、受信信号から受信映像信号と受信音声信号とプレイタイミング信号を抽出する信号抽出手段と、プレイタイミング信号により受信装置表示部への表示出力或いは装置音声発生部への音声出力を制御する出力制御手段とを具備することを特徴とするスポーツの映像を撮影し音声を検出しスポーツの映像を撮影した撮像信号と音声を検出した音声信号を含むテレビ放送信号を送信し受信装置でテレビ放送信号を受信し受信信号から受信映像信号と受信音声信号を抽出し受信映像信号を受信装置表示部へ表示出力或いは受信音声信号を受信装置音声発生部へ音声出力するシステム。
【請求項３】
スポーツの映像と音声を含むテレビ放送信号を受信し、受信映像信号と受信音声信号を抽出し、受信映像信号を表示出力或いは受信音声信号を音声出力する方法において、所定プレイの開始を受信映像信号から画像認識検出し、所定プレイの終了を開始より所定時間の経過により検出或いは所定プレイの終了を受信映像信号から画像認識検出し所定プレイの開始或いは開始と終了のタイミングに対応してプレイタイミング信号を生成する工程と、プレイタイミング信号により表示や音声の出力を制御する工程を含むことを特徴とするスポーツの映像と音声を含むテレビ放送信号を受信し受信映像信号と受信音声信号を抽出し受信映像信号を表示出力或いは受信音声信号を音声出力する方法。
【請求項４】
スポーツの映像と音声を含むテレビ放送信号を受信し、受信映像信号と受信音声信号を抽出し、受信映像信号を受信装置表示部へ表示出力或いは受信音声信号を受信装置音声発生部へ音声出力する装置において、所定プレイの開始を受信映像信号から画像認識検出し、所定プレイの終了を開始より所定時間の経過により検出或いは所定プレイの終了を受信映像信号から画像認識検出し所定プレイの開始或いは開始と終了のタイミングに対応してプレイタイミング信号を生成するプレイタイミング信号生成手段と、プレイタイミング信号により受信装置表示部への表示出力或いは装置音声発生部への音声出力を制御する出力制御手段を具備することを特徴とするスポーツの映像と音声を含むテレビ放送信号を受信し受信映像信号と受信音声信号を抽出し受信映像信号を受信装置表示部へ表示出力或いは受信音声信号を受信装置音声発生部へ音声出力する装置。
【請求項５】
スポーツの映像と音声を含むテレビ放送信号を受信し、受信映像信号を抽出し、受信映像を記憶手段に記憶し受信映像を携帯電話通信網やインターネットを使用して、他の端末装置に送信する方法において、所定プレイの開始を受信映像信号から画像認識検出し、所定プレイの終了を開始より所定時間の経過により検出或いは所定プレイの終了を受信映像信号から画像認識検出し所定プレイの開始或いは開始と終了のタイミングに対応してプレイタイミング信号を生成する工程と、プレイタイミング信号により受信映像信号を受信映像情報として記憶手段への記憶を開始および終了する工程と、記憶した受信映像情報を他の端末装置に送信する工程を含むことを特徴とするスポーツの映像と音声を含むテレビ放送信号を受信し受信映像信号を抽出し受信映像を記憶手段に記憶し受信映像を携帯電話通信網やインターネットを使用して他の端末装置に送信する方法。
【請求項６】
スポーツの映像と音声を含むテレビ放送信号を受信し、受信映像信号を抽出し、受信映像を記憶手段に記憶し受信映像を携帯電話通信網やインターネットを使用して、他の端末装置に送信する装置において、所定プレイの開始を受信映像信号から画像認識検出し、所定プレイの終了を開始より所定時間の経過により検出或いは所定プレイの終了を受信映像信号から画像認識検出し所定プレイの開始或いは開始と終了のタイミングに対応してプレイタイミング信号を生成するプレイタイミング信号生成手段と、プレイタイミング信号発生の期間の受信映像信号を記憶情報として記憶し読み出し要求信号により記憶情報を発生する記憶手段と、読み出し要求信号により記憶手段に記憶した記憶情報を読み出し記憶情報を含む送信信号を発生し携帯電話網を介して他の携帯電話へ送信する送信手段を具備することを特徴とするスポーツの映像と音声を含むテレビ放送信号を受信し受信映像信号を抽出し受信映像を記憶手段に記憶し受信映像を携帯電話通信網やインターネットを使用して他の端末装置に送信する装置。
【請求項７】
スポーツの映像と音声を含むテレビ放送送信信号を受信し、受信映像情報を記録情報として記録し、記録情報を記録映像情報としてを再生出力し、記録映像情報を表現出力する方法において、所定プレイの開始を受信映像信号から画像認識検出し、所定プレイの終了を開始より所定時間の経過により検出或いは所定プレイの終了を受信映像信号から画像認識検出し所定プレイの開始或いは開始と終了のタイミングに対応してプレイタイミング信号を生成する工程と、プレイタイミング信号に対応して受信映像信号と受信音声信号を記録情報として記録する工程と、記録した前記記録情報を記録映像情報と記録音声情報に変換出力する工程と、記録映像情報或いは記録音声情報を表現出力する工程を含むことを特徴とするスポーツの映像と音声を含むテレビ放送送信信号を受信し受信映像情報を記録情報として記録し記録情報を記録映像情報としてを再生出力し記録映像情報を表現出力する方法。
【請求項８】
スポーツの映像と音声を含むテレビ放送送信信号を受信し、受信映像信号を抽出し、受信映像情報を記録情報として記録し、記録情報を記録映像情報としてを再生出力し、記録映像情報を表現出力するテレビ受信記録再生装置において、所定プレイの開始を受信映像信号から画像認識検出し、所定プレイの終了を開始より所定時間の経過により検出或いは所定プレイの終了を受信映像信号から画像認識検出し所定プレイの開始或いは開始と終了のタイミングに対応してプレイタイミング信号を生成するプレイタイミング信号生成手段と、プレイタイミング信号に対応して受信映像信号と受信音声信号を記録情報として記録する記録手段と、記録した前記記録情報を記録映像情報と記録音声情報に変換出力する再生手段と、記録映像情報或いは記録音声情報を表現出力する表現出力手段を具備することを特徴とするスポーツの映像と音声を含むテレビ放送送信信号を受信し受信映像信号を抽出し受信映像情報を記録情報として記録し記録情報を記録映像情報としてを再生出力し記録映像情報を表現出力するテレビ受信記録再生装置。
【請求項９】
請求項１、請求項２において、プレイタイミング信号を生成する工程、或いは、プレイタイミング信号生成手段は、所定プレイのシーンを撮像した撮像信号から所定プレイの開始を画像認識検出しプレイタイミング信号を発生、或いは、所定プレイのシーンを撮像した撮像信号から所定プレイの開始を画像認識検出しかつ所定プレイの終了を画像認識検出しプレイタイミング信号を発生することを特徴とする請求項１に記載のスポーツの映像を撮影し音声を検出しスポーツの映像を撮影した撮像信号と音声を検出した音声信号を含むテレビ放送信号を送信し送信されたテレビ放送信号を受信し受信信号から受信映像信号と受信音声信号を抽出し受信映像信号を表示出力或いは受信音声信号を音声出力する方法、および、請求項２に記載のスポーツの映像を撮影し音声を検出しスポーツの映像を撮影した撮像信号と音声を検出した音声信号を含むテレビ放送信号を送信し受信装置でテレビ放送信号を受信し受信信号から受信映像信号と受信音声信号を抽出し受信映像信号を受信装置表示部へ表示出力或いは受信音声信号を受信装置音声発生部へ音声出力するシステム。
【請求項１０】
請求項１、請求項２において、プレイタイミング信号を生成する工程、或いは、プレイタイミング信号生成手段は、スポーツの所定プレイの開始タイミングに合わせ或いは開始と終了のタイミングに合わせ操作信号発生手段を入力操作しプレイタイミング信号を発生することを特徴とする請求項１に記載のスポーツの映像を撮影し音声を検出しスポーツの映像を撮影した撮像信号と音声を検出した音声信号を含むテレビ放送信号を送信し送信されたテレビ放送信号を受信し受信信号から受信映像信号と受信音声信号を抽出し受信映像信号を表示出力或いは受信音声信号を音声出力する方法、および、請求項２に記載のスポーツの映像を撮影し音声を検出しスポーツの映像を撮影した撮像信号と音声を検出した音声信号を含むテレビ放送信号を送信し受信装置でテレビ放送信号を受信し受信信号から受信映像信号と受信音声信号を抽出し受信映像信号を受信装置表示部へ表示出力或いは受信音声信号を受信装置音声発生部へ音声出力するシステム。
【請求項１１】
請求項１、請求項２、請求項３、請求項４、請求項５、請求項６、請求項７、請求項８において、プレイタイミング信号により表示や音声の出力を制御する工程或いは出力制御手段は、プレイタイミング信号により表現出力手段へ画像表示する受信映像信号の画像表示の有無を制御或いは受信映像信号の画像表示の位置や大きさを制御することを特徴とする請求項１に記載のスポーツの映像を撮影し音声を検出しスポーツの映像を撮影した撮像信号と音声を検出した音声信号を含むテレビ放送信号を送信し送信されたテレビ放送信号を受信し受信信号から受信映像信号と受信音声信号を抽出し受信映像信号を表示出力或いは受信音声信号を音声出力する方法、および、請求項２に記載のスポーツの映像を撮影し音声を検出しスポーツの映像を撮影した撮像信号と音声を検出した音声信号を含むテレビ放送信号を送信し受信装置でテレビ放送信号を受信し受信信号から受信映像信号と受信音声信号を抽出し受信映像信号を受信装置表示部へ表示出力或いは受信音声信号を受信装置音声発生部へ音声出力するシステム、および、請求項３に記載のスポーツの映像と音声を含むテレビ放送信号を受信し受信映像信号と受信音声信号を抽出し受信映像信号を表示出力或いは受信音声信号を音声出力する方法、および、請求項４に記載のスポーツの映像と音声を含むテレビ放送信号を受信し受信映像信号と受信音声信号を抽出し受信映像信号を受信装置表示部へ表示出力或いは受信音声信号を受信装置音声発生部へ音声出力する装置、および、請求項５に記載のスポーツの映像と音声を含むテレビ放送信号を受信し受信映像信号を抽出し受信映像を記憶手段に記憶し受信映像を携帯電話通信網やインターネットを使用して他の端末装置に送信する方法、および、請求項６に記載のスポーツの映像と音声を含むテレビ放送信号を受信し受信映像信号を抽出し受信映像を記憶手段に記憶し受信映像を携帯電話通信網やインターネットを使用して他の端末装置に送信する装置、および、請求項７に記載のスポーツの映像と音声を含むテレビ放送送信信号を受信し受信映像情報を記録情報として記録し記録情報を記録映像情報としてを再生出力し記録映像情報を表現出力する方法、および、請求項８に記載のスポーツの映像と音声を含むテレビ放送送信信号を受信し受信映像信号を抽出し受信映像情報を記録情報として記録し記録情報を記録映像情報としてを再生出力し記録映像情報を表現出力するテレビ受信記録再生装置。
【請求項１２】
請求項１、請求項２、請求項３、請求項４、請求項５、請求項６、請求項７、請求項８において、プレイタイミング信号により表示や音声の出力を制御する工程或いは出力制御手段は、プレイタイミング信号により表現出力手段へ音声発生出力する受信音声信号の有無を制御或いは所定時間のブザー等の所定音の発生を制御することを特徴とする請求項１に記載のスポーツの映像を撮影し音声を検出しスポーツの映像を撮影した撮像信号と音声を検出した音声信号を含むテレビ放送信号を送信し送信されたテレビ放送信号を受信し受信信号から受信映像信号と受信音声信号を抽出し受信映像信号を表示出力或いは受信音声信号を音声出力する方法、および、請求項２に記載のスポーツの映像を撮影し音声を検出しスポーツの映像を撮影した撮像信号と音声を検出した音声信号を含むテレビ放送信号を送信し受信装置でテレビ放送信号を受信し受信信号から受信映像信号と受信音声信号を抽出し受信映像信号を受信装置表示部へ表示出力或いは受信音声信号を受信装置音声発生部へ音声出力するシステム、および、請求項３に記載のスポーツの映像と音声を含むテレビ放送信号を受信し受信映像信号と受信音声信号を抽出し受信映像信号を表示出力或いは受信音声信号を音声出力する方法、および、請求項４に記載のスポーツの映像と音声を含むテレビ放送信号を受信し受信映像信号と受信音声信号を抽出し受信映像信号を受信装置表示部へ表示出力或いは受信音声信号を受信装置音声発生部へ音声出力する装置、および、請求項５に記載のスポーツの映像と音声を含むテレビ放送信号を受信し受信映像信号を抽出し受信映像を記憶手段に記憶し受信映像を携帯電話通信網やインターネットを使用して他の端末装置に送信する方法、および、請求項６に記載のスポーツの映像と音声を含むテレビ放送信号を受信し受信映像信号を抽出し受信映像を記憶手段に記憶し受信映像を携帯電話通信網やインターネットを使用して他の端末装置に送信する装置、および、請求項７に記載のスポーツの映像と音声を含むテレビ放送送信信号を受信し受信映像情報を記録情報として記録し記録情報を記録映像情報としてを再生出力し記録映像情報を表現出力する方法、および、請求項８に記載のスポーツの映像と音声を含むテレビ放送送信信号を受信し受信映像信号を抽出し受信映像情報を記録情報として記録し記録情報を記録映像情報としてを再生出力し記録映像情報を表現出力するテレビ受信記録再生装置。
【請求項１３】
野球スポーツのテレビ放送用の撮像信号或いはテレビ受信映像信号から、野球スポーツシーンのプレイの開始を検出する方法において、投手の投球動作ありを或いは投手の投球の球の移動を画像認識により検出することを特徴とする野球スポーツのテレビ放送用の撮像信号或いはテレビ受信映像信号から野球スポーツシーンのプレイの開始を検出する方法。
【請求項１４】
請求項１３において、投手の投球動作ありを或いは投手の投球の球の移動を画像認識により検出は、予め略所定プレイ撮影位置の画像における投手の投球動作の特徴量を登録特徴量として記憶しておき略所定撮影位置の画像における投手の投球動作を画像認識し認識特徴量と登録特徴量とを比較し類似度が所定量以上である或いは違いが所定量以内とき検出する、或いは、投手の投球の球の移動量を画像認識により計測し所定量以上であるとき検出するようにしている。このようにすることで、簡単な構成で、リアルタイムに、テレビ放送の野球スポーツの投手投球動作のシーンの開始を検出することを特徴とする請求項１３に記載の野球スポーツのテレビ放送用の撮像信号或いはテレビ受信映像信号から野球スポーツシーンのプレイの開始を検出する方法。
【請求項１５】
野球スポーツのテレビ放送用の撮像信号或いはテレビ受信映像信号から、野球スポーツシーンのプレイの開始を検出する方法において、予め特定の打者の顔或いは容姿の複数の特徴量を登録特徴量として記憶しておきテレビ放送用の撮像信号或いはテレビ受信映像信号の所定位置の画像における打者の顔或いは容姿を画像認識し認識特徴量と対応する登録特徴量とを比較し類似度が所定量以上である或いは違いが所定量以内であるとき特定打者の打席であることを画像認識検出することにより開始検出する、或いは、前記特定打者の打席であることを画像認識検出しかつ投手の投球動作ありを或いは投手の投球動作の球の移動を画像認識により検出することにより開始検出することを特徴とする野球スポーツのテレビ放送用の撮像信号或いはテレビ受信映像信号から野球スポーツシーンのプレイの開始を検出する方法。
【請求項１６】
野球スポーツのテレビ放送用の撮像信号或いはテレビ受信映像信号から、野球スポーツシーンのプレイの開始を検出する方法において、予め略所定プレイ撮影位置の画像における選手のプレイ動作の特徴量を登録特徴量として記憶しておき、略所定プレイ撮影位置の画像における選手のプレイ動作を画像認識し認識特徴量と登録特徴量とを比較し類似度が所定量以上である或いは違いが所定量以内であるとき検出することを特徴とする野球スポーツのテレビ放送用の撮像信号或いはテレビ受信映像信号から野球スポーツシーンのプレイの開始を検出する方法。
【請求項１７】
球技スポーツのテレビ放送用の撮像信号或いはテレビ受信映像信号から、球技スポーツシーンのプレイの終了を検出する方法において、球技の球の位置の変化を画像認識し、球技の球の平均移動速度が所定量以下であるとき終了を検出することを特徴とする球技スポーツのテレビ放送用の撮像信号或いはテレビ受信映像信号から球技スポーツシーンのプレイの終了を検出する方法。
【請求項１８】
請求項１７において、球の平均移動速度は、テレビ放送用の撮像信号或いはテレビ受信映像信号の一画面ごとから球の移動量を画像認識計測し積算し、テレビ放送用の撮像信号或いはテレビ受信映像信号の一画面ごとの移動量の積算値の変化を所定時間で除し算出することを特徴とする請求項１７に記載の球技スポーツのテレビ放送用の撮像信号或いはテレビ受信映像信号から球技スポーツシーンのプレイの終了を検出する方法。
【請求項１９】
スポーツのテレビ放送用の撮像信号或いはテレビ受信映像信号から、スポーツシーンのプレイの開始を検出する方法において、予め選手のプレイ動作の開始動作の特徴量を登録特徴量として記憶しておきテレビ放送用の撮像信号或いはテレビ受信映像信号の所定位置の画像における選手の動作を画像認識し認識特徴量と対応する登録特徴量とを比較し類似度が所定量以上である或いは違いが所定量以内であるときプレイ開始を検出ことを特徴とするスポーツのテレビ放送用の撮像信号或いはテレビ受信映像信号からスポーツシーンのプレイの開始を検出する方法。
【請求項２０】
球技スポーツのテレビ放送用の撮像信号或いはテレビ受信映像信号から、球技スポーツシーンのプレイの開始を検出する方法において、球技スポーツのテレビ放送用の撮像信号或いはテレビ受信映像信号から球の位置を画像認識し、球の移動量を計測し、或いは、移動速度を計測し、移動量あるいは移動速度が所定量以上のとき、プレイ開始を検出することを特徴とする球技スポーツのテレビ放送用の撮像信号或いはテレビ受信映像信号から球技スポーツシーンのプレイの開始を検出する方法。
【請求項２１】
スポーツのテレビ放送用の撮像信号或いはテレビ受信映像信号から、スポーツシーンのプレイの終了を検出する方法において、予め選手のプレイ動作の終了動作の特徴量を登録特徴量として記憶しておきテレビ放送用の撮像信号或いはテレビ受信映像信号の所定位置の画像における選手の動作を画像認識し認識特徴量と対応する登録特徴量とを比較し類似度が所定量以上である或いは違いが所定量以内ときプレイ終了を検出することを特徴とするスポーツのテレビ放送用の撮像信号或いはテレビ受信映像信号からスポーツシーンのプレイの終了を検出する方法。
【請求項２２】
スポーツのテレビ放送用の撮像信号或いはテレビ受信映像信号から、スポーツシーンのプレイの開始を検出する方法において、予め特定選手の顔或いは容姿の複数の特徴量を登録特徴量として記憶しておきテレビ放送用の撮像信号或いはテレビ受信映像信号の所定インプレイ位置の画像における選手の顔或いは容姿を画像認識し認識特徴量と対応する登録特徴量とを比較し類似度が所定量以上である或いは違いが所定量以内であるとき特定の選手のインプレイであることを画像検出することにより開始検出する、或いは、前記特定選手のインプレイであることを画像検出しかつ予め選手のプレイ動作の開始動作の特徴量を登録特徴量として記憶しておきテレビ放送用の撮像信号或いはテレビ受信映像信号の所定位置の画像における選手の動作を画像認識し認識特徴量と対応する登録特徴量とを比較し類似度が所定量以上である或いは違いが所定量以内であるときプレイの開始を検出することを特徴とするスポーツのテレビ放送用の撮像信号或いはテレビ受信映像信号からスポーツシーンのプレイの開始を検出する方法。
【請求項２３】
請求項２のシステムにおいて、プレイタイミング信号生成手段は、スポーツの複数の所定プレイの開始或いは開始と終了のタイミングに対応して複数のプレイタイミング信号を発生し、信号抽出手段は、受信信号から受信映像信号と受信音声信号と複数のプレイタイミング信号と対応する複数のプレイタイミング信号を抽出し複数のプレイタイミング信号からプレイタイミング信号を選択し発生することを特徴とする請求項２に記載のスポーツの映像を撮影し音声を検出しスポーツの映像を撮影した撮像信号と音声を検出した音声信号を含むテレビ放送信号を送信し受信装置でテレビ放送信号を受信し受信信号から受信映像信号と受信音声信号を抽出し受信映像信号を受信装置表示部へ表示出力或いは受信音声信号を受信装置音声発生部へ音声出力するシステム。